【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
中隔欠損を処置するためのシステムであって、
長形送達部材と、
隔壁を貫通するように構成された長形ニードル部材と、
インプラント可能なデバイスに当接するように構成された長形プッシャー部材であって、前記インプラント可能なデバイスが、前記隔壁内の中隔欠損を処置するように構成される長形プッシャー部材と、
前記送達部材、前記ニードル部材、および前記プッシャー部材の各々に結合し、これらの各々を制御するように構成された近位の制御デバイスであって、前記近位の制御デバイスが、ユーザによって直接接近可能であるように構成される近位の制御デバイスと
を備えるシステム。
【請求項２】
前記近位の制御デバイスが、前記送達部材、ニードル部材、およびプッシャー部材の各々を手動制御するように構成される、請求項１に記載のシステム。
【請求項３】
前記近位の制御デバイスが、前記送達部材、ニードル部材、およびプッシャー部材の各々を自動制御するように構成される、請求項１に記載のシステム。
【請求項４】
前記近位の制御デバイスが、前記送達部材、ニードル部材、およびプッシャー部材のうちの少なくとも１つを制御するように構成された回転可能ノブを備える、請求項１に記載のシステム。
【請求項５】
前記近位の制御デバイスが、前記送達部材、ニードル部材、およびプッシャー部材の各々を別個に制御するように構成された単一の作動装置を備える、請求項１に記載のシステム。
【請求項６】
前記近位の制御デバイスが、前記単一の作動装置に結合される複数のバネを含む、請求項５に記載のシステム。
【請求項７】
前記近位の制御デバイスが、作動装置の運動をガイドするように構成された通路を含む、請求項１に記載のシステム。
【請求項８】
前記近位の制御デバイスが、前記ニードル部材に対して前記プッシャー部材の位置を係止するように構成される、請求項１に記載のシステム。
【請求項９】
前記近位の制御デバイスが、前記送達部材に対して前記ニードル部材の位置を係止するように構成される、請求項１に記載のシステム。
【請求項１０】
前記近位の制御デバイスが、前記送達部材に対して前記プッシャー部材の位置を係止するように構成される、請求項１に記載のシステム。
【請求項１１】
前記近位の制御デバイスが、
前記送達部材に結合される送達作動装置と、
前記ニードル部材に結合されるニードル作動装置と、
前記プッシャー部材に結合されるプッシャー作動装置と
を備える、請求項１に記載のシステム。
【請求項１２】
前記送達作動装置、ニードル作動装置、およびプッシャー作動装置の各々が、少なくとも部分的に独立して制御可能である、請求項１１に記載のシステム。
【請求項１３】
前記近位のコントローラに固定結合される本体部分をさらに備え、前記本体部分が、被験体の解剖学的構造を固定係合するように構成される、請求項１２に記載のシステム。
【請求項１４】
前記近位のコントローラが、前記送達部材、ニードル部材、およびプッシャー部材のうちの少なくとも１つを、前記本体部分に対して所定の位置に係止するように構成される、請求項１３に記載のシステム。
【請求項１５】
前記近位のコントローラが筐体を備え、前記送達作動装置、ニードル作動装置、およびプッシャー作動装置の各々が、前記筐体内で摺動可能である、請求項１１に記載のシステム。
【請求項１６】
前記送達作動装置、ニードル作動装置、およびプッシャー作動装置が各々、前記個々の作動装置の運動を作動させるように構成された押しボタンを含む、請求項１５に記載のシステム。
【請求項１７】
医療デバイスを制御するためのコントローラであって、
筐体と、
前記筐体内に摺動可能に収容された第１作動装置であって、前記第１作動装置が、前記筐体に対して少なくとも１つの予め決められた位置に係止可能である第１作動装置と、
前記筐体内に摺動可能に収容された第２作動装置であって、前記第２作動装置が、前記第１作動装置に対して少なくとも１つの位置に係止可能である第２作動装置と
を備え、前記第１作動装置および第２作動装置が、医療デバイスの独立して移動可能な部分に結合されるコントローラ。
【請求項１８】
前記筐体内に摺動可能に収容される第３作動装置をさらに備え、前記第３作動装置が、前記第２作動装置に対して少なくとも１つの位置、および前記筐体に対して少なくとも１つの予め決められた位置に係止可能である、請求項１７に記載のコントローラ。
【請求項１９】
中隔欠損の処置を制御するための近位の制御デバイスであって、
ユーザインターフェースと、
医療デバイスの独立して移動可能な部分に各々が結合される複数の制御可能部材であって、前記複数の制御可能部材のうちの少なくとも１つが、前記複数の制御可能部材の少なくとも他の１つに対して所定の位置に係止可能であり、前記制御可能部材の各々が、前記ユーザインターフェースによって制御可能であり、前記制御可能部材の各々が、他の少なくとも１つの制御可能部材の前記位置に応じて移動可能である、制御可能部材と
を備える制御デバイス。
【請求項２０】
前記複数の制御可能部材の各々が、ユーザによって直接接近可能である、請求項１９に記載の近位の制御デバイス。
【手続補正２】
【補正対象書類名】明細書
【補正対象項目名】０００８
【補正方法】変更
【補正の内容】
【０００８】
本発明は、例えば、以下を提供する：
（項目１）
中隔欠損を処置するためのシステムであって、
長形送達部材と、
隔壁を貫通するように構成された長形ニードル部材と、
インプラント可能なデバイスに当接するように構成された長形プッシャー部材であって、上記インプラント可能なデバイスが、上記隔壁内の中隔欠損を処置するように構成される長形プッシャー部材と、
上記送達部材、上記ニードル部材、および上記プッシャー部材の各々に結合し、これらの各々を制御するように構成された近位の制御デバイスであって、上記近位の制御デバイスが、ユーザによって直接接近可能であるように構成される近位の制御デバイスと
を備えるシステム。
（項目２）
上記近位の制御デバイスが、上記送達部材、ニードル部材、およびプッシャー部材の各々を手動制御するように構成される、項目１に記載のシステム。
（項目３）
上記近位の制御デバイスが、上記送達部材、ニードル部材、およびプッシャー部材の各々を自動制御するように構成される、項目１に記載のシステム。
（項目４）
上記近位の制御デバイスが、上記送達部材、ニードル部材、およびプッシャー部材のうちの少なくとも１つを制御するように構成された回転可能ノブを備える、項目１に記載のシステム。
（項目５）
上記近位の制御デバイスが、上記送達部材、ニードル部材、およびプッシャー部材の各々を制御するように構成された単一の作動装置を備える、項目１に記載のシステム。
（項目６）
上記近位の制御デバイスが、上記単一の作動装置に結合される複数のバネを含む、項目５に記載のシステム。
（項目７）
上記近位の制御デバイスが、作動装置の運動をガイドするように構成された通路を含む、項目１に記載のシステム。
（項目８）
上記近位の制御デバイスが、上記ニードル部材に対して上記プッシャー部材の位置を係止するように構成される、項目１に記載のシステム。
（項目９）
上記近位の制御デバイスが、上記送達部材に対して上記ニードル部材の位置を係止するように構成される、項目１に記載のシステム。
（項目１０）
上記近位の制御デバイスが、上記送達部材に対して上記プッシャー部材の位置を係止するように構成される、項目１に記載のシステム。
（項目１１）
上記近位の制御デバイスが、
上記送達部材に結合される送達作動装置と、
上記ニードル部材に結合されるニードル作動装置と、
上記プッシャー部材に結合されるプッシャー作動装置と
を備える、項目１に記載のシステム。
（項目１２）
上記送達作動装置、ニードル作動装置、およびプッシャー作動装置の各々が、少なくとも部分的に独立して制御可能である、項目１１に記載のシステム。
（項目１３）
上記近位のコントローラに固定結合される本体部分をさらに備え、上記本体部分が、被験体の解剖学的構造を固定係合するように構成される、項目１２に記載のシステム。
（項目１４）
上記近位のコントローラが、上記送達部材、ニードル部材、およびプッシャー部材のうちの少なくとも１つを、上記本体部分に対して所定の位置に係止するように構成される、項目１３に記載のシステム。
（項目１５）
上記近位のコントローラが筐体を備え、上記送達作動装置、ニードル作動装置、およびプッシャー作動装置の各々が、上記筐体内で摺動可能である、項目１１に記載のシステム。
（項目１６）
上記送達作動装置、ニードル作動装置、およびプッシャー作動装置が各々、上記個々の作動装置の運動を作動させるように構成された押しボタンを含む、項目１５に記載のシステム。
（項目１７）
医療デバイスを制御するためのコントローラであって、
筐体と、
上記筐体内に摺動可能に収容された第１作動装置であって、上記第１作動装置が、上記筐体に対して少なくとも１つの予め決められた位置に係止可能である第１作動装置と、
上記筐体内に摺動可能に収容された第２作動装置であって、上記第２作動装置が、上記第１作動装置に対して少なくとも１つの位置に係止可能である第２作動装置と
を備え、上記第１作動装置および第２作動装置が、医療デバイスの独立して移動可能な部分に結合されるコントローラ。
（項目１８）
上記筐体内に摺動可能に収容される第３作動装置をさらに備え、上記第３作動装置が、上記第２作動装置に対して少なくとも１つの位置、および上記筐体に対して少なくとも１つの予め決められた位置に係止可能である、項目１７に記載のコントローラ。
（項目１９）
中隔欠損の処置を制御するための近位の制御デバイスであって、
ユーザインターフェースと、
医療デバイスの独立して移動可能な部分に各々が結合される複数の制御可能部材であって、上記複数の制御可能部材のうちの少なくとも１つが、上記複数の制御可能部材の少なくとも他の１つに対して所定の位置に係止可能であり、上記制御可能部材の各々が、上記ユーザインターフェースによって制御可能であり、上記制御可能部材の各々が、他の少なくとも１つの制御可能部材の上記位置に応じて移動可能である、制御可能部材と
を備える制御デバイス。
（項目２０）
上記複数の制御可能部材の各々が、ユーザによって直接接近可能である、項目１９に記載の近位の制御デバイス。
（要旨）
中隔欠損などの内部組織の欠陥を処置するための改善されたデバイスおよびシステムは、本項で一例の実施態様により提供される。これらの実施態様は単なる一例であり、本発明を制限する意図はない。